(57)【要約】【課題】保険金の請求が容易で、しかも動物病院と保険会社との個別の契約が無くても使用できる。【解決手段】ユーザー端末１に、ユーザーに係る保険データ及び診療明細書データを取得可能なアプリケーションをインストールさせ、サーバー１０を、ユーザー端末１から保険データ及び診療明細書データを取得可能、かつ診療明細書データに係る診療が保険データにおける保険の対象か否かを判断可能とするとともに、保険の対象であると判断した場合、診療明細書データ及び保険データから保険金の額を算出し、算出された保険金に応じた額の振込みを許諾可能とした。【選択図】図１
2020190961.tif 000002
【特許請求の範囲】
【請求項１】
サーバーと、ユーザーの通信情報端末であるユーザー端末と、保険会社の通信情報端末である保険会社端末と、がネットワークに接続された診療明細書データ収集システムの製造方法であって、
前記ユーザー端末に、前記ユーザーに係る保険データ及び診療明細書データを取得可能なアプリケーションをインストールさせ、
前記サーバーを、
前記ユーザー端末から前記保険データ及び前記診療明細書データを取得可能、かつ前記診療明細書データに係る診療が前記保険データにおける保険の対象か否かを判断可能とするとともに、
保険の対象であると判断した場合、前記診療明細書データ及び前記保険データから保険金の額を算出し、前記算出された保険金に応じた額の振込みを許諾可能としたことを特徴とする診療明細書データ収集システムの製造方法。
【請求項２】
前記サーバーは、
前記保険データの有効性を前記保険会社端末へ照会可能で、照会した結果前記保険データが有効であると判断された場合に、前記保険金の額を算出可能としたことを特徴とする請求項１に記載の診療明細書データ収集システムの製造方法。
【発明の詳細な説明】
【技術分野】
【０００１】
本発明は、診療明細書データ収集システムの製造方法に関するものである。
【背景技術】
【０００２】
ペットの保険を利用する場合、人間の保険とは異なり原則は窓口で全額支払い、後から保険会社に保険金の支払いの請求を行う。
しかしその保険金の支払い請求の作業は煩雑で、入金までの期間が長いという問題がある。
したがって、ペット用の保険に加入しているのに使わない、又はペット用の保険に入らない、という人も少なくない。
【０００３】
このような状況では金銭的な事情から、ペットの調子が悪いときであっても動物病院にペットを連れて行くことを躊躇してしまう場合もあり、これはペットやペットの飼い主にとって好ましいことではない。
【０００４】
そこで、動物病院では保険金を引いた自己負担部分だけをユーザーが支払うペット保険システムがある（例えば、非特許文献１参照）。
【先行技術文献】
【非特許文献】
【０００５】
【非特許文献１】アニコム損害保険株式会社、“ペット保険Ｎｏ．１のアニコム損保”、［ｏｎｌｉｎｅ］、［平成３１年４月８日検索］、インターネット〈ＵＲＬ：ｈｔｔｐｓ：／／ｗｗｗ．ａｎｉｃｏｍ−ｓｏｍｐｏ．ｃｏ．ｊｐ／ｆａｍｉｌｙ＿ｐｅｔｉｔ／〉
【発明の概要】
【発明が解決しようとする課題】
【０００６】
しかしながら、それぞれの動物病院が個別に保険会社と契約していないとその保険を使えないという問題がある。
さらにこのような仕組みの保険は動物病院が介在する分だけ、保険料が高いという問題もある。
【０００７】
そこで、本発明の目的とするところは、保険金の請求が容易な診療明細書データ収集システムの製造方法を提供することにある。
【課題を解決するための手段】
【０００８】
上記の目的を達成するために、本発明の請求項１に記載の診療明細書データ収集システムの製造方法は、
サーバー（１０）と、ユーザーの通信情報端末であるユーザー端末（１）と、保険会社の通信情報端末である保険会社端末（２）と、がネットワーク（１００）に接続された診療明細書データ収集システムの製造方法であって、
前記ユーザー端末（１）に、前記ユーザーに係る保険データ及び診療明細書データを取得可能なアプリケーションをインストールさせ、
前記サーバー（１０）を、
前記ユーザー端末（１）から前記保険データ及び前記診療明細書データを取得可能、かつ前記診療明細書データに係る診療が前記保険データにおける保険の対象か否かを判断可能とするとともに、
保険の対象であると判断した場合、前記診療明細書データ及び前記保険データから保険金の額を算出し、前記算出された保険金に応じた額の振込みを許諾可能としたことを特徴とする。
【０００９】
また、請求項２に記載の診療明細書データ収集システムの製造方法は、
前記サーバー（１０）は、
前記保険データの有効性を前記保険会社端末（２）へ照会可能で、照会した結果前記保険データが有効であると判断された場合に、前記保険金の額を算出可能としたことを特徴とする。
【００１０】
なお、ここでいう振込みを許諾する保険金に応じた額とは、現金、電子マネー、又は本システム内の独自ポイント（通貨）を含む概念である。
【００１１】
ここで、上記括弧内の記号は、図面および後述する発明を実施するための形態に掲載された対応要素または対応事項を示す。
【発明の効果】
【００１２】
本発明によれば、ユーザー端末にアプリケーションをインストールさせ、ユーザー端末から診療明細書データを取得することで、診療明細書データに係る診療が保険データにおける保険の対象か否かを判断し、診療明細書データ及び保険データから保険金の額を算出して、算出された保険金の振込みを許諾するので、ユーザーは診療明細書データを送るだけで保険金の請求を行うことができる。よって、保険金の請求が容易なので、ユーザーが保険金の請求を躊躇することがない。したがって、本来請求するべき保険金を請求できていないユーザーを無くすことができるので、ユーザー及びそのペットの不利益を解消可能である。
【００１３】
また、本発明によれば、保険データの有効性を保険会社の通信情報端末である保険会社端末へ照会し、保険データが有効であると判断された場合に保険金の額を算出するので、保険金の誤請求を防止可能である。
【００１４】
なお、本発明の診療明細書データ収集システムの製造方法のように、ユーザー端末から診療明細書データを取得することで、診療明細書データに係る診療が前記保険データにおける保険の対象か否かを判断し、診療明細書データ及び保険データから保険金の額を算出して、算出された保険金の振込みを許諾する点は、上述した非特許文献１には全く記載されていない。
【図面の簡単な説明】
【００１５】
【図１】本発明の実施形態に係る診療明細書データ収集システムの通信構成を示すブロック図である。
【図２】本発明の実施形態に係る診療明細書データ収集システムにおけるサーバーの構成概要を示すブロック図である。
【図３】本発明の実施形態に係る診療明細書データ収集プログラムでの処理を示すフローチャートである。
【発明を実施するための形態】
【００１６】
図１から図３を参照して、本発明の実施形態に係る診療明細書データ収集システム及びその製造方法（構築方法）を説明する。
この診療明細書データ収集システムは、ユーザー端末１と、保険会社端末２と、サーバーと、がネットワーク１００を介して接続されてなり、ユーザーがペットを動物病院に連れて行きその診療についてペット保険を使用する際に利用するものである。このシステムは一方で、保険金支払システム及びそのプログラムと呼ぶこともできる。
ユーザー端末１及び保険会社端末２はいずれも複数存在するが、本実施形態においては各一つについて説明する。
【００１７】
ユーザー端末１は、ペットの飼い主であるユーザーの通信情報端末であり、例えばスマートフォンである。基本的なカメラ機能や通信機能を有していればよい。
また、ユーザー端末１には本実施形態に係るシステムを利用するための専用アプリケーションをインストールさせる。
【００１８】
保険会社端末２は、家庭や企業に広く普及している一般的なパソコンである。もちろん、本実施形態に係るサーバー１０とは別のサーバー等（例えば、保険会社が使用する他の基幹システムに係るサーバー）であってもよい。
【００１９】
次に、サーバー１０について説明する。
サーバー１０は入力装置１１、表示装置１２、記憶装置１３、演算処理装置１４、を備える。
【００２０】
入力装置１１は、演算処理装置１４に情報を入力する装置であり、キーボードやマウスのほか、タッチパネルなどである。
【００２１】
表示装置１２は、入力装置１１で入力された情報や演算処理装置１４から出力された情報を表示する装置であり、例えばモニタである。
【００２２】
記憶装置１３は、種々の情報を記憶する装置であり、例えばハードディスク等である。
後述する演算処理装置１４において取得等したデータが記憶装置１３に適宜格納される。また、その記憶装置１３に格納されたデータも適宜演算処理装置１４に取り出される。
【００２３】
演算処理装置１４は、制御部であり、記憶装置１３に記憶されたプログラムを読み出して動作や制御を行う。
そして、演算処理装置１４は、保険情報取得手段１４ａと、診療明細書データ取得手段１４ｂと、保険対象判断手段１４ｃと、保険有効性照会手段１４ｄと、保険金額算出手段１４ｅと、振込許諾手段１４ｆと、診療明細データ送信手段１４ｇと、を備える。
【００２４】
以上のように構成された診療明細書データ収集システムにおけるサーバー１０の演算処理装置が行う制御について図３を参照しながら説明する。
まず、ユーザー端末１において入力されたユーザーに係る保険データをサーバー１０（保険情報取得手段１４ａ）は取得する（ステップＳ１０１（以下、「ステップ」という語を省略する））。
この保険データには、証券番号、保険会社名、保険の種別、保障割合、保険加入者名、ペット名等が含まれる。
また、保険データには、そもそもユーザーが保険に入っていないという情報も含まれる。
【００２５】
次に、専用アプリケーションを用いてユーザー端末１のカメラ機能で診療明細書を撮ってなる診療明細書データがユーザー端末１からサーバー１０へ送信され、サーバー１０（診療明細書データ取得手段１４ｂ）はユーザー端末１から診療明細書データを取得する（Ｓ１０２）。
そして、サーバー１０は診療明細書データをＯＣＲ機能によって各項目を読み取る（Ｓ１０２）。
この診療明細書データには、担当獣医師名、通院日、入院日、退院日、傷病区分、傷病・診断名・診療内容、単価、診療合計額等が含まれる。
【００２６】
次に、サーバー１０は診療明細書データから診療日データ（通院日、入院日、退院日）を抽出し、それが所定期限内（例えば３ヶ月以内や１２ヶ月以内）のものかどうかを判断する（Ｓ１０３）。
この所定期限は本実施形態に係る診療明細書データ収集システムに関して、ユーザーが入っている無料／有料のプランによって長短を決めている。
【００２７】
次に、診療日が期限内であった場合、サーバー１０（保険対象判断手段１４ｃ）は診療明細書データに係る診療が保険データにおける保険の対象か否かを判断する（Ｓ１０４））。
ユーザーが保険に入っていない場合には、当然ここでは保険の対象外という判断がなされる。
【００２８】
次に、サーバー１０（保険有効性照会手段１４ｄ）は保険データの有効性を保険会社端末２へ照会し、保険データの有効について確認する（Ｓ１０５）。
【００２９】
当該診療が保険の対象で保険データが有効であった場合には、サーバー１０（保険金額算出手段１４ｅ）は診療明細書データ及び保険データから保険金の額を算出する。
【００３０】
次に、サーバー（買取額提示手段）はユーザー端末１に対し、診療明細書データを買い取る買取金の額を提示する（Ｓ１０７）。このステップは後述するＳ１０９と同時に行ってもよい。
【００３１】
次に、サーバー１０（振込許諾手段１４ｆ）は、ユーザー端末１に対し算出された保険金に応じた額、つまりシステム利用のための手数料を引いた額の振込みを許諾する（Ｓ１０８）。
同様に、サーバー１０（振込許諾手段１４ｆ）はユーザー端末１に対し算出された買取金の振込みを許諾する（Ｓ１０９）。
ユーザー端末１は専用アプリケーションを介してこのそれぞれの許諾を受けた後、所定期間（所定時間）経過後に出金手続を行うことができるようになる。つまり、この許諾とはユーザー端末に対して出金可能状態にすることである。
【００３２】
この出金手続として、現金をユーザー自身の銀行口座に振込むようにしてもよいし、電子マネーを現金と同額だけチャージできるようにしてもよい。又は、本実施形態に係るシステムの利用料として充当してもよい。
さらには、この出金可能な金額を独自ポイントとしてシステム内で使用するポイントとしてもよい。
本実施形態に係る診療明細書データ収集システムは上記のようにして製造されてなる。
【００３３】
以上のように構成及び制御された診療明細書データ収集システム及び診療明細書データ収集プログラムによれば、ユーザー端末１から診療明細書データを取得することで、診療明細書データに係る診療が保険データにおける保険の対象か否かを判断し、診療明細書データ及び保険データから保険金の額を算出して、算出された保険金の振込みを許諾するので、ユーザーは診療明細書データを送るだけで保険金の請求を行うことができる。よって、保険金の請求が容易なので、ユーザーが保険金の請求を躊躇することがない。
したがって、本来請求するべき保険金を請求できていないユーザーを無くすことができるので、ユーザー及びそのペットの不利益を解消可能である。
また、動物病院と保険会社との個別の契約は本発明には影響しない。
【００３４】
また、保険データの有効性を保険会社の通信情報端末である保険会社端末２へ照会し、保険データが有効であると判断された場合に保険金の額を算出するので、保険金の誤請求を防止可能である。
【００３５】
また、このように結果的に診療明細書データを収集可能としたので、無理なく診療明細書データを収集でき、収集できた診療明細書データはビッグデータとして様々に活用可能である。
【００３６】
なお、本実施形態において、同時に行っても問題ない処理は同時に行ってもよい。
また、処理を前後しても問題ない処理は処理の順序が入れ替わっていてもよい。例えば、Ｓ１０３，Ｓ１０４，Ｓ１０５はそれぞれ何を先に行ってもよい。また、Ｓ１０８とＳ１０９も互いに処理の順序が入れ替わってもよいし、同時に行ってもよい。
【００３７】
さらに、Ｓ１０１の保険データの取得を、診療明細書データを取得するたびに行わなくてもよい。例えば、直近の診療明細書データの取得から時間が経ってないときには前回取得した保険データを使用するようにしてもよい。
【００３８】
また、サーバー１０は診療明細データ送信手段１４ｇを有し、診療明細書データを保険会社端末２へ送信し、ユーザー端末１に振込み許可を出した保険金について、保険金及びシステム手数料を保険会社から受け取るようにしてもよい。
このとき、当該ユーザーが加入している保険を販売している保険会社の保険会社端末２に対してサーバー１０が診療明細書データを送信するのは当然である。
【００３９】
また、診療明細書データ取得手段１４ｂで取得する診療明細書データは写真データであるとしたが、これに限られるものではなく、ユーザー端末１内でＯＣＲ処理されて各項目を読み取り済みのものであってもよい。他の方法として、紙の診療明細書データに二次元バーコードが記載されていて、それをユーザー端末１で読み取り、サーバー１０がＯＣＲ処理しなくてもよい。
【符号の説明】
【００４０】
１      ユーザー端末
２      保険会社端末
１０      サーバー
１１      入力装置
１２      表示装置
１３      記憶装置
１４      演算処理装置
１４ａ    保険情報取得手段
１４ｂ    診療明細書データ取得手段
１４ｃ    保険対象判断手段
１４ｄ    保険有効性照会手段
１４ｅ    保険金額算出手段
１４ｆ    振込許諾手段
１４ｇ    診療明細データ送信手段
１００      ネットワーク（インターネット）
【図１】
2020190961.tif 000003
【図２】
2020190961.tif 000004
【図３】
2020190961.tif 000005